(57)【要約】【課題】天井を構成する複数枚の放射パネル４，５，６を利用して，冷暖房と，発光ダイオード照明器具１６による柔らかな天井照明と，前記発光ダイオード照明器具の長寿命化及び発光効率の向上とを図る。【解決手段】各放射パネルの上面に，冷暖房用の熱媒体が流れる冷暖房用パイプ１０，１１，１２を配設する一方，前記各放射パネルのうち任意の放射パネル５の下面に，前記発光ダイオード照明器具１６を取付ける。【選択図】図３
2010262743.tif 000002
【特許請求の範囲】
【請求項１】
天井を構成するように並べて配設される複数枚の放射パネルと，前記各放射パネルの上面に設けられ内部に冷暖房用の熱媒体が流れる冷暖房用パイプと，発光ダイオード照明器具とを備え，前記各放射パネルのうち任意の放射パネルにおける下面に，前記発光ダイオード照明器具が着脱可能に取付けられていることを特徴する天井用放射パネルを使用した天井照明装置。
【請求項２】
前記請求項１の記載において，前記発光ダイオード照明器具は，前記放射パネルにその下面から凹ませるように設けた窪み部内に取付けられている一方，前記放射パネルの上面における冷暖房用パイプは，前記窪み部における外周面の一部に近接又は接する構成であることを特徴とする天井用放射パネルを使用した天井照明装置。
【請求項３】
前記請求項２の記載において，前記放射パネルの上面における冷暖房用パイプは，前記窪み部における外周面に近接又は接して，当該外周面の一部を囲う構成であることを特徴とする天井用放射パネルを使用した天井照明装置。
【発明の詳細な説明】
【技術分野】
【０００１】
本発明は，事務室，ロビー又はホール等のような室内における冷暖房を行うために，天井に設置される放射パネルを利用した天井照明装置に関するものである。
【背景技術】
【０００２】
最近，室内の冷暖房には，先行技術としての特許文献１，２及び３等に記載されているように，室内における天井にアルミニウム等のような良熱伝導性材料にて平面板に構成して成る複数枚の放射パネルを並べて配設し，この各放射パネルを，その上面に設けた冷暖房用パイプ内を流れる熱媒体にて冷却するか，或いは暖めるという方式が採用されている。
【０００３】
また，別の先行技術としての特許文献４には，発光ダイオード（ＬＥＤ）の複数を使用し，この複数の発光ダイオードを，水によって間接的に冷却することによって，その発光効率の向上及び長寿命化等を図るという構成にして成る照明装置が開示されている。
【先行技術文献】
【特許文献】
【０００４】
【特許文献１】特開平０７−０１９５３３号公報
【特許文献２】特開平０９−１８４６４２号公報
【特許文献３】特開２００６−１７０５５１号公報
【特許文献４】特開２００３−０９２００９号公報
【発明の概要】
【発明が解決しようとする課題】
【０００５】
そこで，前記特許文献１，２及び３等に記載されている天井設置の放射パネルに，発光ダイオード（ＬＥＤ）を使用した照明装置を設置することにより，発光ダイオードにて天井照明を構成することができる。
【０００６】
しかし，前記照明装置における発光ダイオードには，前記放射パネルによる冷暖房を行なわない場合においても，その発光効率の向上及び長寿命化等を図ることのために冷却を必要とするから，この分だけ，冷却負荷の増加を招来するばかりか，この発光ダイオードの冷却手段として放熱用のフィン若しくは冷却水配管を必要とするため，設備費が大幅にアップするという問題がある。
【０００７】
また，特許文献４では，発光ダイオード（ＬＥＤ）を冷却するために，別に冷却水配管が必要となる。特許文献１〜３では，冷暖房用配管以外に，発光ダイオード用の冷却水配管が必要となる。
【０００８】
本発明は，天井に設置の放射パネルに発光ダイオードを設置して天井照明にする場合において，前記放射パネルを利用して，前記発光ダイオードの発光効率の向上及び長寿命化等を図り，さらに，設備費の低減も図ることを技術的課題とするものである。
【課題を解決するための手段】
【０００９】
この技術的課題を達成するため請求項１は，
「天井を構成するように並べて配設される複数枚の放射パネルと，前記各放射パネルの上面に設けられ内部に冷暖房用の熱媒体が流れる冷暖房用パイプと，発光ダイオード照明器具とを備え，前記各放射パネルのうち任意の放射パネルにおける下面に，前記発光ダイオード照明器具が着脱可能に取付けられている。」
ことを特徴している。
【００１０】
請求項２は，
「前記請求項１の記載において，前記発光ダイオード照明器具は，前記放射パネルにその下面から凹ませるように設けた窪み部内に取付けられている一方，前記放射パネルの上面における冷暖房用パイプは，前記窪み部における外周面の一部に近接又は接する構成である。」ことを特徴としている。
【００１１】
請求項３は，
「前記請求項２の記載において，前記放射パネルの上面における冷暖房用パイプは，前記窪み部における外周面に近接又は接して，当該外周面の一部を囲う構成である。」
ことを特徴としている。
【発明の効果】
【００１２】
前記発光ダイオードは，その発生した熱が放射パネルを介してその上面に設けられている冷暖房用パイプ，ひいては，この冷暖房用パイプ内を流れる冷暖房用熱媒体に熱伝達することにより，前記冷暖房用熱媒体の温度に近づくように冷却されることになるから，この発光ダイオードにおける長寿命化及び発光効率の向上を確実に達成することができるとともに，前記発光ダイオードに対する冷却負荷を低減することができる。
【００１３】
これに加えて，前記放射パネルは，当該放射パネルによる冷暖房を行なわない場合，これに取付けた発光ダイオードに対する放熱フィンの作用をなすから，前記発光ダイオードにおける発光効率の向上及び長寿命化等を，冷暖房を行なわない場合においても確実に確保することができ，従って，前記発光ダイオードには，これ専用の水による冷却手段を必要としないから，冷却負荷を低減できるとともに設備費の大幅な低減を達成できる。
【００１４】
特に，通常，発光ダイオードにて天井照明とする場合，この発光ダイオードにおける発熱は，室内（居住空間域）又は天井内の空気に放熱し，攪拌されて空調機器に吸収される。
【００１５】
これに対し本発明の場合，発光ダイオードの発熱は，主に放射パネルに伝達し，熱容量の大きい冷暖房用熱媒体に効率的に吸収される。よって，空気中への放熱が極めて少なくなり，室内の空調負荷を低減できるから，この分だけ省エネルギー化を達成できる。
【００１６】
この場合，請求項２に記載した構成によると，前記窪み部内における発光ダイオード照明器具から冷暖房用パイプへの熱伝達を向上できるから，前記発光ダイオード照明器具に対する冷却性能を促進できる。
【００１７】
また，請求項３に記載した構成によると，前記窪み部内における発光ダイオード照明器具から冷暖房用パイプへの熱伝達を，前記冷暖房用パイプが前記窪み部における外周面の一部を囲う分だけ，前記請求項２の場合よりも向上できるから，前記発光ダイオード照明器具に対する冷却性能を更に促進できる。
【図面の簡単な説明】
【００１８】
【図１】室内を示す斜視図である。
【図２】図１のII−II視拡大平面図である。
【図３】図２のIII −III 視拡大断面図である。
【図４】図３のIV−IV視平面図である。
【図５】図３の要部分解図である。
【図６】図３の別の実施の形態を示す図である。
【発明を実施するための形態】
【００１９】
以下，本発明の実施の形態を，図面について説明する。
【００２０】
図１は，室内を奥の方向に見たときの斜視図であり，図２は，前記室内における天井を上面から見たときを示しており，図３は，前記図２のIII −III 視拡大断面図で，第１の実施の形態を示している。
【００２１】
これらの図において，符号１は，ビルディング等の建物を示し，この建物１における事務室等の室内２における天井には，天井ユニット３が設けられている。
【００２２】
この天井ユニット３は，図２及び図３に示すように，三枚の放射パネル４，５，６を一組にして，その複数組を，縦方向及び横方向に並べたものに構成されている。
【００２３】
この各放射パネル４，５，６の各々は，長さ寸法Ｌを幅寸法Ｗの約三倍にした長方形の形状であり，熱伝達性に優れた金属製の薄板，例えば，アルミニウム板をプレス成形することで製造されるもので，その長手方向に沿った左右両縁辺には，図３に示すように，上向きに折り曲げて成るリップ４ａ，４ｂ，５ａ，５ｂ，６ａ，６ｂが設けられている。
【００２４】
なお，前記アルミニウム板等のような金属製の薄板は，多数の孔を穿設して成るパンチング板である。
【００２５】
前記各放射パネル４，５，６における上面側には，その幅方向に延びる変形阻止部材７，８，９が，左右両縁辺におけるリップ４ａ，４ｂ，５ａ，５ｂ，６ａ，６ｂの相互間に装架するように設けており，これにより，前記各放射パネル４，５，６の各々が図３に二点鎖線Ａで示すように下向き凸型にそり変形することを確実に阻止するように構成している。
【００２６】
なお，前記変形阻止部材７，８，９は，図示したように，各放射パネル４，５，６の長さ方向の一箇所に設けることに限らず，長さ方向の複数個所に設けるという構成にすることができる。
【００２７】
しかも，前記各変形阻止部材７，８，９は，熱伝達性に優れた金属製であり，例えば，アルミニウム板を断面上向きコ字状に折り曲げた形状に構成されている。
【００２８】
これに加えて，前記各放射パネル４，５，６における上面には，ジクザク状に折り曲げして成る冷暖房用パイプ１０，１１，１２が，前記放射パネル４，５，６の上面に対して密接するように配設されており，これら各冷暖房用パイプ１０，１１，１２の一端を供給管路１３に，他端を排出管路１４に各々接続して，これら各冷暖房用パイプ１０，１１，１２内に，図示しない装置にて所定の温度（例えば，２３℃）に保持された水等の冷暖房用熱媒体を流すことにより，前記各放射パネル４，５，６の表面を前記した温度に維持し，これにより，前記室内２を，当該室内２の空気との熱交換にて，冷房又は暖房するというように構成している。
【００２９】
この場合，前記各放射パネル４，５，６の上面における冷暖房用パイプ１０，１１，１２は，その上面に前記変形阻止部材７，８，９が直接に接当することによって，その各々における放射パネル４，５，６の上面に対して押圧・密接するというように構成されている。
【００３０】
つまり，前記変形阻止部材７，８，９は，その各々における放射パネル４，５，６のそり変形を防止する機能と，前記冷暖房用パイプ１０，１１，１２を放射パネルに対して押圧・密接するように固定する機能との両方を兼ねるという構成である。
【００３１】
この場合，前記各変形阻止部材７，８，９の下面を前記各冷暖房用パイプ１０，１１，１２に直接接当することに代えて，前記変形阻止部材７，８，９の下面に，下向きへの突起部を設けて，この突起部を前記各冷暖房用パイプ１０，１１，１２に接当するという構成にすることができる。
【００３２】
そして，前記各放射パネル４，５，６のうち任意の少なくとも一つの放射パネル，例えば，三枚組のうち中央に位置する一つの放射パネル５には，当該放射パネル５における一部を円錐形に上向きに膨出形成することにより，その下面からの窪み部１５が設けられている。
【００３３】
前記窪み部１５内には，下向きに光を発射する発光ダイオードを備えて成る発光ダイオード照明器具１６が配設されており，この発光ダイオード照明器具１６は，例えば，当該発光ダイオード照明器具１６を下から上向きに貫通するねじ１７を，前記窪み部１５に設けたナット部１８に螺合するようにねじ込みすることによって，前記窪み部１５に対して着脱可能に取付けられている。
【００３４】
つまり，前記発光ダイオード照明器具１６の取付け及び取り外しは，前記天井ユニット３を下側から行うことができるように構成されている。
【００３５】
一方，前記窪み部１５の上面には，図３及び図４に示すように，前記変形阻止部材８が広い面接触の状態で直接に接当するように構成されている。
【００３６】
なお，前記発光ダイオード照明器具１６は，例えば，図５に示すように，熱伝達性に優れた金属板１６ａと，この金属板１６ａの下面に光を下向きに出射するようにダイボンディングした複数個（図では，四個）の発光ダイオードチップ１６ｂと，この各発光ダイオードチップ１６ｂの各々に対する反射凹所を備えたパッケージ体１６ｃと，このパッケージ体１６ｃの下面に貼着した透明体１６ｄとによって構成されている。
【００３７】
前記発光ダイオード照明器具１６は，その発生した熱が放射パネル５を介してその上面に設けられている冷暖房用パイプ１１，ひいては，この冷暖房用パイプ１１内を流れる冷暖房用熱媒体に熱伝達するから，前記冷暖房用熱媒体の温度に近づくように冷却されることになる。
【００３８】
また，前記の冷暖房を行なわない場合，つまり，前記各放射パネル５における冷暖房用パイプ１１内に冷暖房用熱媒体を流さない場合，前記発光ダイオード照明器具１６において発生した熱は放射パネル５に伝達して，この放射パネル５から放熱される。
【００３９】
つまり，前記放射パネル５は，冷暖房を行なわない場合には，これに取付けた発光ダイオード照明器具１６に対する放熱フィンの作用をなすのである。
【００４０】
この場合において，前記冷暖房用パイプ１１を，図３及び図４に示すように，前記窪み部１５における外周面の一部に近接又は接する構成にすることにより，前記窪み部１５内における発光ダイオード照明器具１６から冷暖房用パイプ１１への熱伝達を向上できる。      
【００４１】
また，放射パネル５の一部に，その下面からの窪み部１５を設け，この窪み部１５内に，発光ダイオード照明器具１６を配設することにより，前記複数枚の放射パネル４，５，６にて構成される天井を仰ぎ見たとき，当該天井のうち視点の略真上を除く領域においては，前記窪み部１５内における発光ダイオード照明器具１６は，前記窪み部１５の奥に隠れた状態になり，この隠れた状態の発光ダイオード照明器具１６からの強い指向性を有する光は，視界に直接に入ることなく，前記窪み部１５の内表面で下向きに反射して室内２を照らすから，眩しさが緩和され，柔らかな光による天井照明にすることができる。
【００４２】
また，前記冷暖房用パイプ１１を，別の実施の形態である図６に示すように，前記窪み部１５における外周面に近接又は接して，当該外周面の一部を囲う構成にすることにより，前記窪み部１５内における発光ダイオード照明器具１６から冷暖房用パイプ１１への熱伝達を，前記冷暖房用パイプ１１が前記窪み部１５における外周面の一部を囲う分だけ，前記図４の場合よりも更に向上できる。
【００４３】
これに加えて，前記放射パネル５における変形阻止部材８を，図３及び図４に示すように，前記冷暖房用パイプ１１と，前記窪み部１５との両方に同時に接当するという構成にすることにより，前記変形阻止部材８は，前記発光ダイオード照明器具１６における熱を前記冷暖房用パイプ１１に伝達するという機能をも有することになるから，発光ダイオード照明器具１６から冷暖房用パイプ１１への熱伝達を更に飛躍的に向上できる。
【００４４】
なお，前記した各放射パネル４，５，６においては，そのリップ４ａ，４ｂ，５ａ，５ｂ，６ａ，６ｂに対する角度θを９０度以下にすることにより，当該リップ４ａ，４ｂ，５ａ，５ｂ，６ａ，６ｂを，その各々における変形阻止部材７，８，９に対して弾性的に押圧するように構成している。
【００４５】
また，前記各放射パネル４，５，６における変形阻止部材７，８，９の下面には，その各々における冷暖房用パイプ１０，１１，１２が嵌まる凹み溝を設けるという構成にすることにより，前記変形阻止部材７，８，９を介しての熱伝達性を向上できるとともに，前記冷暖房用パイプ１０，１１，１２が横移動しないように固定することができる。
【００４６】
ところで，発光ダイオード（ＬＥＤ）にて天井照明する場合には，その発光ダイオードチップとしては，広い温度域において所定の発光性能を発揮するように構成した高価なものを使用しなければならない。
【００４７】
これに対し，冷暖房に，前記したように，前記放射パネル４，５，６を使用する場合には，前記放射パネル４，５，６における表面温度は，通常，２０〜３０℃付近の冷暖房温度に維持するようにしているから，この放射パネル４，５，６に，前記したように発光ダイオード照明器具１６を設けることにより，この発光ダイオード照明器具１６における発光ダイオードチップとしては，前記２０〜３０℃付近の狭い温度域において所定の発光性能を発揮するように構成することができる。従って廉価な発光ダイオードチップを使用することができる。
【符号の説明】
【００４８】
１                                  建物
２                                  室内
３                                  天井ユニット
４，５，６                          放射パネル
４ａ，４ｂ，５ａ，５ｂ，６ａ，６ｂ  リップ
７，８，９                          変形阻止部材
１０，１１，１２                    冷暖房用パイプ
１５                                窪み部
１６                                発光ダイオード照明器具
１７                                ねじ
１８                                ナット部
１９                                ジャケット体
【図１】
2010262743.tif 000003
【図２】
2010262743.tif 000004
【図３】
2010262743.tif 000005
【図４】
2010262743.tif 000006
【図５】
2010262743.tif 000007
【図６】
2010262743.tif 000008